(57)【要約】【課題】放射線遮蔽効果が高く、環境汚染がなく、加工精度が高く、製造が簡単な放射線コリメータとその製造方法を提供する。【解決手段】互いに面を平行に対向させて等間隔で複数枚並ぶ超硬合金からなる縦列遮蔽板２と、縦列遮蔽板２の基端部から先端部まで縦列遮蔽板２に直交し互いに面を平行に対向させて等間隔で複数枚並ぶ超硬合金からなる横列遮蔽板３とを備え、縦列遮蔽板２と横列遮蔽板３とに囲まれた複数の光学筒４が縦横に整列している。【選択図】図１
2010085211.tif 000002
【特許請求の範囲】
【請求項１】
互いに面を平行に対向させて等間隔で複数枚並ぶ超硬合金からなる縦列遮蔽板と、該縦列遮蔽板の基端部から先端部まで該縦列遮蔽板に直交し互いに面を平行に対向させて等間隔で複数枚並ぶ超硬合金からなる横列遮蔽板とを備え、上記縦列遮蔽板と上記横列遮蔽板とに囲まれた複数の光学筒が縦横に整列していることを特徴とする放射線コリメータ。
【請求項２】
上記複数枚の縦列遮蔽板と上記複数枚の横列遮蔽板の交差箇所には、上記縦列遮蔽板と上記横列遮蔽板の両方又はいずれか一方に噛み合わせ用スリットが形成され、上記縦列遮蔽板と上記横列遮蔽板とが上記噛み合わせ用スリットによって互いに噛み合わされていることを特徴とする請求項１記載の放射線コリメータ。
【請求項３】
互いに面を平行に対向させて等間隔で複数枚並ぶ縦列遮蔽板と各縦列遮蔽板に直交して各縦列遮蔽板を連結する横リブとを一体的に超硬合金材料により形成し、互いに面を平行に対向させて等間隔で複数枚並ぶ横列遮蔽板と各横列遮蔽板に直交して各横列遮蔽板を連結する縦リブとを一体的に超硬合金材料により形成し、上記縦列遮蔽板の上記横リブの反対端と上記横列遮蔽板の上記縦リブの反対端の両方又はいずれか一方に噛み合わせ用スリットを形成し、上記縦列遮蔽板と上記横列遮蔽板とを上記噛み合わせ用スリットによって互いに噛み合わせることにより、各縦列遮蔽板と各横列遮蔽板を基端部から先端部まで直交させ、この状態で上記縦列遮蔽板と上記横列遮蔽板を接合させた後、上記横リブと上記縦リブの両方又はいずれか一方を切り離すことを特徴とする放射線コリメータ製造方法。
【請求項４】
上記縦列遮蔽板と上記横リブとの連結部及び上記横列遮蔽板と上記縦リブとの連結部の両方又はいずれか一方に、あらかじめ細径部を形成することにより、上記縦列遮蔽板と上記横列遮蔽板とを噛み合わせるときに、上記細径部が座屈可能にしておくことを特徴とする請求項３記載の放射線コリメータ製造方法。
【請求項５】
上記縦列遮蔽板と上記横列遮蔽板を接合させた後、上記横リブと上記縦リブの両方又はいずれか一方をワイヤ放電加工により切り離すことを特徴とする請求項３又は４記載の放射線コリメータ製造方法。
【発明の詳細な説明】
【技術分野】
【０００１】
本発明は、放射線遮蔽効果が高く、環境汚染がなく、加工精度が高く、製造が簡単な放射線コリメータとその製造方法に関する。
【背景技術】
【０００２】
γ線等の放射線による映像を撮るために、放射線を受光して電気信号を出力する微小な受光素子を縦横に複数並べた撮像器が用いられる。撮像器の受光面には、各受光素子に対して受光素子の正面へ放射線を導き、正面以外の方向からの放射線を遮蔽するための放射線コリメータが設置される。放射線コリメータは、ひとつひとつの受光素子に放射線を導く光学筒を縦横に複数並べたものである。放射線コリメータが設置されると、各受光素子には受光素子の正面への放射線だけが導かれるので、撮像器の解像度が高くなる。
【０００３】
【特許文献１】特表２００７−５０４４７３号公報
【特許文献２】特開２００８−８９３４１号公報
【発明の開示】
【発明が解決しようとする課題】
【０００４】
ところで、放射線コリメータには放射線が透過できない材料を用いるが、放射線は多くの物質を透過するので、材料選択に制限がある。一般に、鉛Ｐｂ、タングステンＷなど比重の高い材料が放射線を透過させない性質を有する。
【０００５】
このような比重の高い材料のうち、特にタングステンは比重が高く、放射線遮蔽効果が高い。しかし、タングステンは非常に硬くて加工しにくい材料であるため、利用されていない。これに対し、鉛は軟らかくて加工がし易く、放射線を遮る材料として長く利用されてきた。しかし、鉛は近年、環境汚染の問題があるので利用が憚られるようになった。
【０００６】
また、撮像器に用いる放射線コリメータは、口径の微小な光学筒を多数集約形成した精密機器である。このような精密機器は適切な製造方法が必要である。例えば、鉛かタングステンのブロック材に光学筒となる穴を開けるとすると、穴（多角形）の辺の長さが（穴が円形の場合には直径が）１．０〜１．２ｍｍとなるが、適切なドリル刃がなく、ドリルで穴を開けるのは困難である。
【０００７】
従来は、鉛の板材を折り込んで角筒状の単一の光学筒を形成し、この光学筒を縦横に複数並べている。しかし、縦横に、例えば、１００コ並べると、ひとつの光学筒に生じた誤差が多数蓄積して大きな誤差になる。例えば、１コの角筒状の光学筒の１辺の加工精度が２０μｍ程度であった場合、蓄積誤差は最大で２０μｍ×１００コ＝２ｍｍになる可能性がある。このように、従来の構造及び製造方法では、高精度な放射線コリメータを製造することは困難であった。
【０００８】
また、単一の光学筒を形成しておいて縦横に高精度に複数並べていく製造方法は、簡単でない。
【０００９】
そこで本発明の目的は、上記課題を解決し放射線遮蔽効果が高く、環境汚染がなく、加工精度が高く、製造が簡単な放射線コリメータとその製造方法を提供することにある。
【課題を解決するための手段】
【００１０】
上記目的を達成するために本発明の放射線コリメータは、互いに面を平行に対向させて等間隔で複数枚並ぶ超硬合金からなる縦列遮蔽板と、該縦列遮蔽板の基端部から先端部まで該縦列遮蔽板に直交し互いに面を平行に対向させて等間隔で複数枚並ぶ超硬合金からなる横列遮蔽板とを備え、上記縦列遮蔽板と上記横列遮蔽板とに囲まれた複数の光学筒が縦横に整列しているものである。
【００１１】
上記複数枚の縦列遮蔽板と上記複数枚の横列遮蔽板の交差箇所には、上記縦列遮蔽板と上記横列遮蔽板の両方又はいずれか一方に噛み合わせ用スリットが形成され、上記縦列遮蔽板と上記横列遮蔽板とが上記噛み合わせ用スリットによって互いに噛み合わされていてもよい。
【００１２】
また、本発明の放射線コリメータ製造方法は、互いに面を平行に対向させて等間隔で複数枚並ぶ縦列遮蔽板と各縦列遮蔽板に直交して各縦列遮蔽板を連結する横リブとを一体的に超硬合金材料により形成し、互いに面を平行に対向させて等間隔で複数枚並ぶ横列遮蔽板と各横列遮蔽板に直交して各横列遮蔽板を連結する縦リブとを一体的に超硬合金材料により形成し、上記縦列遮蔽板の上記横リブの反対端と上記横列遮蔽板の上記縦リブの反対端の両方又はいずれか一方に噛み合わせ用スリットを形成し、上記縦列遮蔽板と上記横列遮蔽板とを上記噛み合わせ用スリットによって互いに噛み合わせることにより、各縦列遮蔽板と各横列遮蔽板を基端部から先端部まで直交させ、この状態で上記縦列遮蔽板と上記横列遮蔽板を接合させた後、上記横リブと上記縦リブの両方又はいずれか一方を切り離すものである。
【００１３】
上記縦列遮蔽板と上記横リブとの連結部及び上記横列遮蔽板と上記縦リブとの連結部の両方又はいずれか一方に、あらかじめ細径部を形成することにより、上記縦列遮蔽板と上記横列遮蔽板とを噛み合わせるときに、上記細径部が座屈可能にしておいてもよい。
【００１４】
上記縦列遮蔽板と上記横列遮蔽板を接合させた後、上記横リブと上記縦リブの両方又はいずれか一方をワイヤ放電加工により切り離してもよい。
【発明の効果】
【００１５】
本発明は次の如き優れた効果を発揮する。
【００１６】
（１）放射線遮蔽効果が高い。
【００１７】
（２）環境汚染がない。
【００１８】
（３）加工精度が高い。
【００１９】
（４）製造が簡単である。
【発明を実施するための最良の形態】
【００２０】
以下、本発明の一実施形態を添付図面に基づいて詳述する。
【００２１】
図１（ａ）及び図１（ｂ）に示されるように、本発明に係る放射線コリメータ１は、互いに面を平行に対向させて等間隔で複数枚並ぶ超硬合金からなる縦列遮蔽板２と、縦列遮蔽板２の基端部から先端部まで縦列遮蔽板２に直交し互いに面を平行に対向させて等間隔で複数枚並ぶ超硬合金からなる横列遮蔽板３とを備え、縦列遮蔽板２と横列遮蔽板３とに囲まれた複数の光学筒４が縦横に整列しているものである。
【００２２】
また、光学筒４の内側寸法は縦横それぞれ１．２ｍｍである。
【００２３】
図２に示されるように、放射線コリメータ１が設置される撮像器５は、放射線を受光する受光素子６が受光面視で縦横に複数配列されたものである。放射線コリメータ１のひとつひとつの光学筒４が受光素子６のひとつひとつに正対して臨んでいる。
【００２４】
複数枚の縦列遮蔽板２と複数枚の横列遮蔽板３の交差箇所には、縦列遮蔽板２と横列遮蔽板３の両方又はいずれか一方に噛み合わせ用スリット（図示せず）が形成され、縦列遮蔽板２と横列遮蔽板３とが上記噛み合わせ用スリットによって互いに噛み合わされている。噛み合わせ用スリットは、図１のように組立後の状態では見えないので、製造方法の説明中において説明する。
【００２５】
縦列遮蔽板２及び横列遮蔽板３に用いられる超硬合金（Cemented Carbide）は、硬質の金属炭化物の粉末を焼結して作られる。一般に、炭化タングステンＷＣと結合材であるコバルトＣｏを混合して焼結する。ここで、密度の高い物質を例示して超硬合金と密度を比較すると、
鉛                １１．４７０ｋｇ／ｍ3
タングステン      １９．２９０ｋｇ／ｍ3
コバルト            ８．９３０ｋｇ／ｍ3
超硬合金        約１５．０００ｋｇ／ｍ3
である。
【００２６】
このように超硬合金は鉛よりも密度が高いので、鉛よりも放射線遮蔽効果が高い材料である。材料の放射線遮蔽効果が高いことにより、光学筒の長さを短くすることができる。また、超硬合金は切削工具に多く利用されており、市場が広いので値段が比較的安い。また、超硬合金は、硬度は高いが、ワイヤ放電加工によれば、加工し易い。また、超硬合金は、密度が高いので鉛より遮蔽板２，３の厚さを薄く形成することも可能となる。
【００２７】
以上のように、本発明の放射線コリメータ１は、比重の高い超硬合金を用いているので、同じ形状のものを鉛で形成した場合に比べて放射線遮蔽効果が高い。また本発明の放射線コリメータ１は、鉛を用いないので環境を汚染することもない。また本発明の放射線コリメータ１は、複数枚の縦列遮蔽板２と複数枚の横列遮蔽板３とを組み合わせることで縦横に整列した光学筒４を形成しているため、誤差の蓄積がなく加工精度が高い。更に、本発明の放射線コリメータ１は複数枚の縦列遮蔽板２が一体となっており、複数枚の横列遮蔽板３もまた一体となっており、これらを組み合わせて形成されるので製造が簡単である。また本発明の放射線コリメータ１は、タングステンより加工の容易な超硬合金を用いているので、同じ形状のものをタングステンで形成する場合に比べて、製造が簡単である。
【００２８】
次に、本発明に係る放射線コリメータ製造方法を説明する。
【００２９】
図３に示されるように、互いに面を平行に対向させて等間隔で複数枚並ぶ縦列遮蔽板２と、各縦列遮蔽板２に直交して各縦列遮蔽板２を連結する横リブ６とを一体的に超硬合金材料により形成し、縦列遮蔽板側パーツ７とする。ここでは、超硬合金材料のブロック材をワイヤ放電加工することにより、縦列遮蔽板側パーツ７が形成される。
【００３０】
縦列遮蔽板側パーツ７は、横リブ６を設けた側が図１では縦列遮蔽板２の先端部に相当する。縦列遮蔽板２には、所定の間隔（横列遮蔽板３の配置間隔に等しい）をおいて、横リブ６を設けた側の反対側である基端部から先端部（横リブ６を設けた側）に向けて噛み合わせ用スリット８が形成されている。本実施形態では、噛み合わせ用スリット８は縦列遮蔽板２の先端部まで達している。縦列遮蔽板２と横リブ６は、後述する連結部によって連結されている。
【００３１】
ワイヤ加工（ワイヤ放電加工）は、ワイヤから対象物に放電することにより、放電箇所を溶融させて対象物を切断するもので、ワイヤの送り（対象物を送ってもよい）により任意形状の製品を切り出すことができる。これにより、複数枚の縦列遮蔽板２、これに直交する複数本の横リブ６、複数の噛み合わせ用スリット８、複数の連結部からなる縦列遮蔽板側パーツ７を一体の部品として切り出すことができる。
【００３２】
一方、図４に示されるように、互いに面を平行に対向させて等間隔で複数枚並ぶ横列遮蔽板３と、各横列遮蔽板３に直交して各横列遮蔽板３を連結する縦リブ９とを一体的に超硬合金材料により形成し、横列遮蔽板側パーツ１０とする。横列遮蔽板側パーツ１０も、縦列遮蔽板側パーツ７と同様に、超硬合金材料のブロック材をワイヤ加工することにより形成される。
【００３３】
横列遮蔽板側パーツ１０は、縦リブ９を設けた側が図１では横列遮蔽板３の基端部に相当する。本実施形態では横列遮蔽板３に噛み合わせ用スリットはないが、横列遮蔽板３に噛み合わせ用スリットを形成する場合は、縦リブ９を設けた側の反対側である先端部に、縦列遮蔽板２の配置間隔に等しい間隔で、縦列遮蔽板２の噛み合わせ用スリット８の深さと相補的な深さとなるよう噛み合わせ用スリットを形成するとよい。
【００３４】
図５に示されるように、縦列遮蔽板側パーツ７を図３の状態から上下反転させ、横列遮蔽板側パーツ１０と組み合わせる。具体的には、縦列遮蔽板２と横列遮蔽板３とを噛み合わせ用スリット８によって互いに噛み合わせることにより、各縦列遮蔽板２と各横列遮蔽板３を基端部から先端部まで直交させる。
【００３５】
図６に示されるように、噛み合わせ用スリット８による噛み合わせにより、各縦列遮蔽板２と各横列遮蔽板３は、基端部から先端部まで直交した状態となる。この状態で縦列遮蔽板２と横列遮蔽板３を接合させる。このとき、タングステン入りの接着剤で隙間を埋めるようにして接合を行う。接着剤のベースは、隙間に染み込みやすいアンダーフィル剤を用いる。タングステン入りの接着剤とするのは、噛み合わせ用スリット８による噛み合わせの部分にごく小さな隙間ができても迷光の原因になるからで、タングステン入りの接着剤で隙間を埋めることにより、隙間からの迷光は生じない。
【００３６】
このようにして、縦列遮蔽板側パーツ７と横列遮蔽板側パーツ１０とが噛み合わされた状態で接着剤固定されたものを噛み合わせアセンブリ１１と呼ぶ。図７に示されるように、噛み合わせアセンブリ１１は、巨視的に見て直方体の部材となる。
【００３７】
図８に示されるように、噛み合わせアセンブリ１１を拡大して見ると、先端部には、横リブ６が突き出している。縦列遮蔽板２の噛み合わせ用スリット８には、噛み合わされた横列遮蔽板３の側部端面が表れている。噛み合わせ用スリット８と横列遮蔽板３とに微小な隙間があっても、タングステン入りの接着剤で埋められている。
【００３８】
本発明に係る放射線コリメータ製造方法では、噛み合わせアセンブリ１１の形成後、横リブ６と縦リブ９の両方又はいずれか一方を切り離す。本実施形態では、横リブ６のみを切り離す。
【００３９】
図９に示した状態は、図７の噛み合わせアセンブリ１１を、先端部の適宜な高さにおいてワイヤ加工で水平に切断することにより、横リブ６を取り除いた状態である。この後、切断面を研磨することにより、いっそう面精度を高めるとよい。
【００４０】
図１０に示されるように、縦横に配列された光学筒４の先端面が精度の高い面となっている。
【００４１】
以上の過程により、図１の放射線コリメータ１が製造される。
【００４２】
本発明の放射線コリメータ製造方法にあっては、複数枚の縦列遮蔽板２と各縦列遮蔽板２を連結する横リブ６とを一体的に形成し、横列遮蔽板３と各横列遮蔽板３を連結する縦リブ９とを一体的に形成し、このように形成した縦列遮蔽板側パーツ７と横列遮蔽板側パーツ１０とを噛み合わせ用スリット８により噛み合わせて組み立てるので、加工精度が高く、しかも、製造が簡単である。特に、ワイヤ加工では、０．１ｍｍ精度での加工が可能であるから、加工精度が高くできる。
【００４３】
このような噛み合わせによる組み立ては、材料が超硬合金のように硬い材料を用いることにより可能となる。鉛を用いて縦列遮蔽板２及び横列遮蔽板３を作製しても、噛み合わせによる組み立ては不可能である。その理由は噛み合わせで組み立てるときに、縦列遮蔽板２と横列遮蔽板３が微妙な誤差のために噛み合わせ用スリット８のところで干渉すると、鉛は軟らかすぎて、潰れてしまうからである。
【００４４】
本発明の放射線コリメータ製造方法にあっては、縦列遮蔽板側パーツ７と横列遮蔽板側パーツ１０とが噛み合わされた状態で接着剤固定された後、噛み合わせアセンブリ１１から横リブ６と縦リブ９の両方又はいずれか一方を切り離す。その理由を次に説明する。
【００４５】
図１１（ａ）に示されるように、放射線コリメータ１を撮像器５に設置するとき、さまざまの理由で放射線コリメータ１の光学筒４の先端部の面と撮像器５の受光素子６の受光面との間に、隙間が生じる。
【００４６】
図１１（ｂ）に示されるように、隙間が大きいとき、光学筒４ａの基端部に傾斜して入射した放射線が光学筒４ａの先端部から出射すると、放射線は隙間を通る。当該光学筒４ａに正対している受光素子６ａの隣にある受光素子６ｂに放射線が入射する。受光素子６ｂは、本来は光学筒４ｂからの放射線を受光するためのものであるが、光学筒４ａからの迷光が入射するため、出力信号に雑音を含むことになる。撮像器５全体の複数の受光素子６において同様の雑音が生じ、放射線映像の解像度が低下する。
【００４７】
図１１（ｃ）に示されるように、隙間が小さいとき、光学筒４ａの基端部に傾斜して入射した放射線は、隙間が小さいため、受光素子６ａに入射し、受光素子６ｂには入射しない。各受光素子６はそれぞれ本来の光学筒４からの放射線のみ受光し、近隣の光学筒４からの迷光は受光しなくなる。よって、撮像器５における放射線映像の解像度が向上する。
【００４８】
従来の放射線コリメータでは、受光素子６に接する先端部の面精度が低いため、隙間が大きくなる。本発明の放射線コリメータ１は、噛み合わせアセンブリ１１をワイヤ加工で切断するので、先端部の面精度が高い。また、その切断面を研磨することにより、いっそう面精度を高めることができる。よって、本発明の放射線コリメータ１は、撮像器５に装着したときの隙間を小さくして、放射線映像の解像度向上に寄与する。
【００４９】
図１２に示されるように、縦列遮蔽板２と横リブ６との連結部１２は、その全長にわたり、径（幅及び厚み）が小さい細径部１３として形成される。図示例では、幅及び厚みはそれぞれ０．１〜０．２ｍｍである。細径部１３は連結部１２の全長にわたらなくてもよい。
【００５０】
このように、縦列遮蔽板２と横リブ６との連結部１２に細径部１３を形成しておくことにより、図５から図６に至る噛み合わせの工程において、多少の寸法誤差や歪みのため、縦列遮蔽板側パーツ７と横列遮蔽板側パーツ１０とがうまく噛み合わないときでも、細径部１３が座屈して折れることにより、図６の状態まで工程を進めることができる。
【００５１】
また、噛み合わせ用スリット８の開口幅と横列遮蔽板３の厚みとのクリアランスを小さくしすぎると、縦列遮蔽板側パーツ７と横列遮蔽板側パーツ１０とがうまく噛み合わない。反面、クリアランスを大きくしすぎると、噛み合わせは容易になっても、縦列遮蔽板２と横列遮蔽板３に隙間が生じ、迷光の原因となる。本発明によれば、クリアランスが小さくて縦列遮蔽板側パーツ７と横列遮蔽板側パーツ１０とがうまく噛み合わない場合でも、細径部１３が座屈して折れることにより、図６の状態まで工程を進めることができる。
【００５２】
横列遮蔽板３と縦リブ９との間にも同様の連結部を形成してもよい。
【００５３】
次に、ワイヤ加工による縦列遮蔽板側パーツ７及び横列遮蔽板側パーツ１０の製造方法を説明する。
【００５４】
図１３に示されるように、超硬合金材料のブロック材１４に対し、ワイヤ１５を矢印の方向に移動させ、経路１６に沿って進める。ワイヤ１５の径（＝経路１６の幅）Ｗａは細いが、ワイヤ１５に接した超硬合金が溶融して経路１６の幅Ｗｂよりも幅広く超硬合金が消失する。経路１６を全部進み終えると、ブロック材１４は２つに分裂され、分裂片はどちらも縦列遮蔽板側パーツ７となる。つまり、１つのブロック材１４から同時に２個の縦列遮蔽板側パーツ７を製造することができる。これを具現するためには、縦列遮蔽板２の厚みＴ、縦列遮蔽板２の配列ピッチＰ、消失幅（経路幅Ｗ＋両側の溶融分）の関係を考慮する。例えば、配列ピッチＰ＝１．２ｍｍ、厚みＴ＝０．２ｍｍ、経路幅Ｗ＝０．２ｍｍとすると、片側の溶融分が０．３ｍｍとなるように放電量を設定すればよい。
【００５５】
横列遮蔽板側パーツ１０についても同様の製造方法が適用できる。
【００５６】
このように、１つのブロック材１４から同時に２個の縦列遮蔽板側パーツ７又は横列遮蔽板側パーツ１０を製造することにより、資源の有効利用、電力の有効利用が達成され、また、生産時間が短縮され、コストダウンに貢献する。
【図面の簡単な説明】
【００５７】
【図１】（ａ）は本発明の一実施形態を示す放射線コリメータの斜視図、（ｂ）はその部分拡大図である。
【図２】本発明の放射線コリメータが撮像器に設置された状態を示す断面図である。
【図３】本発明の放射線コリメータの製造過程において作られる縦列遮蔽板側パーツの斜視図である。
【図４】本発明の放射線コリメータの製造過程において作られる横列遮蔽板側パーツの斜視図である。
【図５】縦列遮蔽板側パーツと横列遮蔽板側パーツの組み立て斜視図である。
【図６】本発明の放射線コリメータの製造過程において作られる噛み合わせアセンブリの斜視図である。
【図７】噛み合わせアセンブリの全体斜視図である。
【図８】噛み合わせアセンブリの部分拡大斜視図である。
【図９】横リブを取り除いた噛み合わせアセンブリの全体斜視図である。
【図１０】横リブを取り除いた噛み合わせアセンブリの部分拡大斜視図である。
【図１１】（ａ）は放射線コリメータと撮像器の隙間を示す部分拡大断面図、（ｂ）及び（ｃ）は上記部分における放射線の振る舞いを示す断面図である。
【図１２】図３の楕円部を拡大した側面図である。
【図１３】ワイヤ加工による縦列遮蔽板側パーツの製造方法を示す断面図である。
【符号の説明】
【００５８】
１  放射線コリメータ
２  縦列遮蔽板
３  横列遮蔽板
４  光学筒
５  撮像器
６  横リブ
７  縦列遮蔽板側パーツ
８  噛み合わせ用スリット
９  縦リブ
１０  横列遮蔽板側パーツ
１１  噛み合わせアセンブリ
１２  連結部
１３  細径部
１４  ブロック材
１５  ワイヤ
１６  経路
【図１】
2010085211.tif 000003
【図２】
2010085211.tif 000004
【図３】
2010085211.tif 000005
【図４】
2010085211.tif 000006
【図５】
2010085211.tif 000007
【図６】
2010085211.tif 000008
【図７】
2010085211.tif 000009
【図８】
2010085211.tif 000010
【図９】
2010085211.tif 000011
【図１０】
2010085211.tif 000012
【図１１】
2010085211.tif 000013
【図１２】
2010085211.tif 000014
【図１３】
2010085211.tif 000015